(57)【要約】  【課題】  従来の高速対応小型メモリカードでは、高速動作モードに対応していないホスト機器に対しても、高速動作モード時と同じドライブ能力で出力信号をドライブする為、不要輻射による妨害発生や無駄に電力を消費してしまうという課題があった。  【解決手段】  ホスト機器１００から出力されるコマンドによりドライブ能力を切り替えるのではなく、ドライブ能力切替自動装置２０６により、送信装置１０３の出力信号の信号波形を監視し、ドライブ能力が最適となるよう上記送信装置１０３を制御するようにした。  【選択図】  図１
2005182370.tif 000002
【特許請求の範囲】
【請求項１】
ホスト機器と、該ホスト機器より送信されたコマンドに従って動作する小型メモリカードとからなる小型メモリカードシステムにおいて、
上記小型メモリカードは、
上記ホスト機器より送信されるコマンド、あるいはデータ信号、を受信する受信装置と、
上記ホスト機器より送信されるコマンドに基づいて不揮発性メモリを制御する不揮発性メモリ制御装置と、
ドライブ能力を切り替える機能を有し、上記コマンドに対するレスポンス、あるいは上記不揮発性メモリから読み出されたデータ信号を、上記ホスト機器に送信する送信装置と、
上記送信装置の出力信号の信号波形を監視し、ドライブ能力が最適になるよう上記送信装置を制御するドライブ能力切替自動検出装置と、を備えた、
ことを特徴とする小型メモリカードシステム。
【請求項２】
ホスト機器と、該ホスト機器より送信されたコマンドに従って動作する小型メモリカードとからなる小型メモリカードシステムにおいて、
上記小型メモリカードは、
上記ホスト機器より送信されるコマンド、あるいはデータ信号を、受信する受信装置と、
上記コマンドに基づいて不揮発性メモリを制御する不揮発性メモリ制御装置と、
ドライブ能力を切り替える機能を有し、上記コマンドに対するレスポンス、あるいは上記不揮発性メモリから読み出されたデータ信号を、上記ホスト機器に送信する送信装置と、
上記送信装置の出力信号の信号波形を監視し、上記送信装置のドライブ能力の最適値を決定するドライブ能力切替自動検出装置と、
上記ドライブ能力切替自動検出装置で決定された上記送信装置のドライブ能力の最適値を一時的に記憶し、所定の時間の経過後、これを上記不揮発性メモリに書き込むドライブ能力切替自動検出信号一時記憶装置と、を備えた、
ことを特徴とする小型メモリカードシステム。
【請求項３】
請求項１または請求項２に記載の小型メモリカードシステムにおいて、
上記送信装置は、可変電流源を用いて出力信号の電流量を連続的に可変させてドライブ能力を切り替える、
ことを特徴とする小型メモリカードシステム。
【請求項４】
請求項１または請求項２に記載の小型メモリカードシステムにおいて、
上記送信装置は、２個以上並列接続した定電流源を用いて出力信号の電流量を離散的に可変させてドライブ能力を切り替える、
ことを特徴とする小型メモリカードシステム。
【請求項５】
請求項１または請求項２に記載の小型メモリカードシステムにおいて、
上記送信装置は、出力信号のスルーレートを可変させてドライブ能力を切り替える、
ことを特徴とする小型メモリカードシステム。
【請求項６】
請求項１または請求項２に記載の小型メモリカードシステムにおいて、
上記送信装置は、出力信号の電源電圧を可変させてドライブ能力を切り替える、
ことを特徴とする小型メモリカードシステム。
【請求項７】
請求項１または請求項２に記載の小型メモリカードシステムにおいて、
上記ドライブ能力切替自動検出装置は、上記送信装置の出力信号のオーバーシュート電圧、及びアンダーシュート電圧を検知し、該検知した電圧値を基準値と比較した結果に基づいて、上記送信装置のドライブ能力を制御する、
ことを特徴とする小型メモリカードシステム。
【請求項８】
請求項１または請求項２に記載の小型メモリカードシステムにおいて、
上記ドライブ能力切替自動検出装置は、上記送信装置の出力信号を高速フーリエ変換し、該変換した結果を基準値と比較した結果に基づいて、上記送信装置のドライブ能力を制御する、
ことを特徴とする小型メモリカードシステム。
【請求項９】
ホスト機器と、該ホスト機器より送信されたコマンドに従って動作する小型メモリカードとからなる小型メモリカードシステムにおいて、
上記ホスト機器は、
ドライブ能力を切り替える機能を有し、上記小型メモリカードに対しコマンド、あるいはデータ信号を、送信する送信装置と、
上記送信装置の出力信号の信号波形を監視し、ドライブ能力が最適になるよう上記送信装置を制御するドライブ能力切替自動検出装置と、
上記小型メモリカードより送信されるレスポンス、あるいはデータ信号を、受信する受信装置と、を備えた、
ことを特徴とする小型メモリカードシステム。
【請求項１０】
請求項９に記載の小型メモリカードシステムにおいて、
上記送信装置は、可変電流源を用いて出力信号の電流量を連続的に可変させてドライブ能力を切り替える、
ことを特徴とする小型メモリカードシステム。
【請求項１１】
請求項９に記載の小型メモリカードシステムにおいて、
上記送信装置は、２個以上並列接続した定電流源を用いて出力信号の電流量を離散的に可変させてドライブ能力を切り替える、
ことを特徴とする小型メモリカードシステム。
【請求項１２】
請求項９に記載の小型メモリカードシステムにおいて、
上記送信装置は、出力信号のスルーレートを可変させてドライブ能力を切り替える、
ことを特徴とする小型メモリカードシステム。
【請求項１３】
請求項９に記載の小型メモリカードシステムにおいて、
上記送信装置は、出力信号の電源電圧を可変させてドライブ能力を切り替える、
ことを特徴とする小型メモリカードシステム。
【請求項１４】
請求項９に記載の小型メモリカードシステムにおいて、
上記ドライブ能力切替自動検出装置は、上記送信装置の出力信号のオーバーシュート電圧、及びアンダーシュート電圧を検知し、該検知した電圧値を基準値と比較した結果に基づいて、上記送信装置のドライブ能力を制御する、
ことを特徴とする小型メモリカードシステム。
【請求項１５】
請求項９に記載の小型メモリカードシステムにおいて、
上記ドライブ能力切替自動検出装置は、上記送信装置の出力信号を高速フーリエ変換し、該変換した結果を基準値と比較した結果に基づいて、上記送信装置のドライブ能力を制御する、
ことを特徴とする小型メモリカードシステム。
【請求項１６】
請求項１、請求項２、または請求項９のいずれか１項に記載の小型メモリカードシステムにおいて、
上記ホスト機器と上記小型メモリカード間の信号線と、グランド間に終端抵抗を接続する、
ことを特徴とする小型メモリカードシステム。
【請求項１７】
請求項１、請求項２、または請求項９のいずれか１項に記載の小型メモリカードシステムにおいて、
上記ホスト機器と上記小型メモリカード間の信号線に、ローパスフィルタを挿入する、
ことを特徴とする小型メモリカードシステム。
【請求項１８】
ホスト機器と、該ホスト機器より送信されたコマンドに従って動作する小型メモリカードとからなる小型メモリカードシステムにおいて、
上記ホスト機器と上記小型メモリカード間の信号線と、グランド間に終端抵抗を接続する、
ことを特徴とする小型メモリカードシステム。
【請求項１９】
ホスト機器と、該ホスト機器より送信されたコマンドに従って動作する小型メモリカードとからなる小型メモリカードシステムにおいて、
上記ホスト機器と上記小型メモリカード間の信号線に、ローパスフィルタを挿入する、
ことを特徴とする小型メモリカードシステム。
【発明の詳細な説明】
【技術分野】
【０００１】
本発明は、不揮発性メモリを使用した小型メモリカードシステムに関するものである。
【背景技術】
【０００２】
昨今、ＭＰＥＧ２，ＭＰＥＧ４といった映像信号をディジタル信号に変換した場合、多大なデータ量を扱う。そういった中で、小型メモリカードで扱うデータの量も増大し、ホスト機器と小型メモリカードの間のデータ転送スピードを高速化した小型カードシステムが求められるようになってきた。その為に、従来の高速対応小型メモリカードシステムでは、データ送信装置のドライブ能力を可変するレジスタをホスト機器より発行されるコマンドにより変更することで、可変し、対応していた（例えば、非特許文献１参照）。
【０００３】
ここで、図８を用い、従来の技術について説明する。
ホスト機器１００は、小型メモリカード１０２が挿入されると、該小型メモリカード１０２に対しコマンド／データ信号１００Ｓを送信する。
【０００４】
上記小型メモリカード１０２は、上記ホスト機器１００より送信されたコマンド／データ信号１００Ｓを受信する受信装置１０１と、ドライブ能力切替機能を有し、上記ホスト機器１００に対しレスポンス／データ信号１０３Ｓを送信する送信装置１０３と、不揮発性メモリ１０５を制御する不揮発性メモリ制御装置１０４とを備えたものである。
【０００５】
上記送信装置１０３は、上記ホスト機器１００より送信されるコマンドに対応するレスポンスを生成するレスポンス生成回路（図示しない）を有する。
【０００６】
なお、コマンド／データ信号１００Ｓとは、小型メモリカード１０２を制御するコマンド、あるいは該小型メモリカード１０２の不揮発性メモリ１０５に格納するデータ信号のことである。レスポンス／データ信号１０３Ｓとは、ホスト機器１００より送信されたコマンドに対するレスポンス、あるいは不揮発性メモリ１０５から読み出されたデータ信号のことである。
【０００７】
以上のように構成された従来のメモリカードシステムについて、その一動作例を以下に説明する。
ホスト機器１００に小型メモリカード１０２が挿入されると、ホスト機器１００から小型メモリカード１０２に対しコマンドを送信する。小型メモリカード１０２側では、受信装置１０１にて上記ホスト機器１００より送信されたコマンドを解析する。
【０００８】
不揮発性メモリ１０５への書き込みを指示するコマンドが上記ホスト機器１００より送信された場合、上記受信装置１０１では、該コマンドの次にホスト機器１００より送信されるデータ信号を書き込み信号１０１Ｓとして不揮発性メモリ制御装置１０４に出力する。そして、不揮発性メモリ制御装置１０４では、上記書き込み信号１０１Ｓに識別情報、及び誤り訂正符号を付加して不揮発性メモリ１０５に書き込む。
【０００９】
不揮発性メモリ１０５からのデータ読み出しを指示するコマンドが上記ホスト機器１００より送信された場合、上記受信装置１０１では該指示内容を示す信号１０１Ｓを不揮発性メモリ制御装置１０４に出力し、不揮発性メモリ制御装置１０４により不揮発性メモリ１０５からデータ信号１０５Ｓを読み出して誤り訂正し、該誤り訂正後のデータ信号１０４Ｓを送信装置１０３に出力し、送信装置１０３からホスト機器１００へ送信する。なお、ドライブ能力の切り替えを指示するコマンドが上記ホスト機器１００より送信された場合、上記受信装置１０１では、第１のドライブ能力切替信号１１１Ｓをアクティブにして送信装置１０３に出力し、送信装置１０３では、上記第１のドライブ能力切替信号１１１Ｓの入力によりドライブ能力を切り替えて上記不揮発性メモリ１０５から読みだされたデータ信号１０４Ｓをホスト機器１００に送信する。
【非特許文献１】“The Multi Media Card System Summary”、[online]、[平成１５年７月２２日検索]、インターネット  ＭＭＣＡホームページ＜URL: http://www.mmca.org/tech/MMC-System-Summary-v3.31.pdf＞
【発明の開示】
【発明が解決しようとする課題】
【００１０】
しかしながら、図８に示すような従来の高速対応小型メモリカードでは、高速動作モードに対応していないホスト機器に対しても、高速動作モード時と同じドライブ能力で出力信号をドライブする為、不要輻射による妨害発生や無駄に電力を消費してしまうという問題があった。
【００１１】
本発明は、上記問題点を解消するためになされたものであり、不要輻射による妨害発生を防ぐことのできる小型メモリカードシステムを提供することを目的とする。
【課題を解決するための手段】
【００１２】
上記課題を解決するために、本発明の請求項１にかかる小型メモリカードシステムは、ホスト機器と、該ホスト機器より送信されたコマンドに従って動作する小型メモリカードとからなる小型メモリカードシステムにおいて、上記小型メモリカードは、上記ホスト機器より送信されるコマンド、あるいはデータ信号、を受信する受信装置と、上記ホスト機器より送信されるコマンドに基づいて不揮発性メモリを制御する不揮発性メモリ制御装置と、ドライブ能力を切り替える機能を有し、上記コマンドに対するレスポンス、あるいは上記不揮発性メモリから読み出されたデータ信号を、上記ホスト機器に送信する送信装置と、上記送信装置の出力信号の信号波形を監視し、ドライブ能力が最適になるよう上記送信装置を制御するドライブ能力切替自動検出装置と、を備えた、ことを特徴とするものである。
【００１３】
これにより、送信装置の出力信号からドライブ能力の最適値を自動的に求めることができ、その結果、消費電力を削減することができるとともに、高速モード非対応のホスト機器に高速モード小型メモリカードを挿入した場合や高速モード対応のホスト機器に高速モード非対応の小型メモリカードを挿入した場合に、不要輻射の発生を防ぐことができる。
【００１４】
また、本発明の請求項２にかかる小型メモリカードシステムは、ホスト機器と、該ホスト機器より送信されたコマンドに従って動作する小型メモリカードとからなる小型メモリカードシステムにおいて、上記小型メモリカードは、記ホスト機器より送信されるコマンド、あるいはデータ信号を、受信する受信装置と、上記コマンドに基づいて不揮発性メモリを制御する不揮発性メモリ制御装置と、ドライブ能力を切り替える機能を有し、上記コマンドに対するレスポンス、あるいは上記不揮発性メモリから読み出されたデータ信号を、上記ホスト機器に送信する送信装置と、上記送信装置の出力信号の信号波形を監視し、上記送信装置のドライブ能力の最適値を決定するドライブ能力切替自動検出装置と、上記ドライブ能力切替自動検出装置で決定された上記送信装置のドライブ能力の最適値を一時的に記憶し、所定の時間の経過後、これを上記不揮発性メモリに書き込むドライブ能力切替自動検出信号一時記憶装置と、を備えた、ことを特徴とするものである。
【００１５】
これにより、送信装置の出力信号からドライブ能力の最適値を自動的に求めることができ、その結果、消費電力を削減することができるとともに、高速モード非対応のホスト機器に高速モード小型メモリカードを挿入した場合や高速モード対応のホスト危機に高速モード非対応の小型メモリカードを挿入した場合に、不要輻射の発生を防ぐことができ、また、不揮発性メモリにドライブ能力の最適値を記憶するようにしたので、小型メモリカードを再度ホスト機器に挿入して立ち上げたとき、前回のドライブ能力の最適値を用いて初期化設定を行うことができる。
【００１６】
また、本発明の請求項３にかかる小型メモリカードシステムは、請求項１または請求項２に記載の小型メモリカードシステムにおいて、上記送信装置は、可変電流源を用いて出力信号の電流量を連続的に可変させてドライブ能力を切り替える、ことを特徴とするものである。
【００１７】
これにより、送信装置の出力信号の電流量を変化させてドライブ能力を細かく制御することができる。
【００１８】
また、本発明の請求項４にかかる小型メモリカードシステムは、請求項１または請求項２に記載の小型メモリカードシステムにおいて、上記送信装置は、２個以上並列接続した定電流源を用いて出力信号の電流量を離散的に可変させてドライブ能力を切り替える、ことを特徴とするものである。
【００１９】
これにより、送信装置の出力信号の電流量を変化させてドライブ能力を細かく制御することができる。
【００２０】
また、本発明の請求項５にかかる小型メモリカードシステムは、請求項１または請求項２に記載の小型メモリカードシステムにおいて、上記送信装置は、出力信号のスルーレートを可変させてドライブ能力を切り替える、ことを特徴とするものである。
【００２１】
これにより、送信装置の出力信号のスルーレートを変化させてドライブ能力を細かく制御することができる。
【００２２】
また、本発明の請求項６にかかる小型メモリカードシステムは、請求項１または請求項２に記載の小型メモリカードシステムにおいて、上記送信装置は、出力信号の電源電圧を可変させてドライブ能力を切り替える、ことを特徴とするものである。
【００２３】
これにより、送信装置の出力信号の電源電圧を変化させてドライブ能力を細かく制御することができる。
【００２４】
また、本発明の請求項７にかかる小型メモリカードシステムは、請求項１または請求項２に記載の小型メモリカードシステムにおいて、上記ドライブ能力切替自動検出装置は、上記送信装置の出力信号のオーバーシュート電圧、及びアンダーシュート電圧を検知し、該検知した電圧値を基準値と比較した結果に基づいて、上記送信装置のドライブ能力を制御する、ことを特徴とするものである。
【００２５】
これにより、小型メモリカードの出力信号のアンダーシュート、及びオーバーシュートを低減させることができる。
【００２６】
また、本発明の請求項８にかかる小型メモリカードシステムは、請求項１または請求項２に記載の小型メモリカードシステムにおいて、上記ドライブ能力切替自動検出装置は、上記送信装置の出力信号を高速フーリエ変換し、該変換した結果を基準値と比較した結果に基づいて、上記送信装置のドライブ能力を制御する、ことを特徴とするものである。
【００２７】
これにより、小型メモリカードの出力信号のアンダーシュート、及びオーバーシュートを低減させることができる。
【００２８】
また、本発明の請求項９にかかる小型メモリカードシステムは、ホスト機器と、該ホスト機器より送信されたコマンドに従って動作する小型メモリカードとからなる小型メモリカードシステムにおいて、上記ホスト機器は、ドライブ能力を切り替える機能を有し、上記小型メモリカードに対しコマンド、あるいはデータ信号を、送信する送信装置と、上記送信装置の出力信号の信号波形を監視し、ドライブ能力が最適になるよう上記送信装置を制御するドライブ能力切替自動検出装置と、上記小型メモリカードより送信されるレスポンス、あるいはデータ信号を、受信する受信装置と、を備えた、ことを特徴とするものである。
【００２９】
これにより、送信装置の出力信号からドライブ能力の最適値を自動的に求めることができ、その結果、消費電力を削減することができるとともに、高速モード非対応のホスト機器に高速モード小型メモリカードを挿入した場合や高速モード対応のホスト危機に高速モード非対応の小型メモリカードを挿入した場合に、不要輻射の発生を防ぐことができる。
【００３０】
また、本発明の請求項１０にかかる小型メモリカードシステムは、請求項９に記載の小型メモリカードシステムにおいて、上記送信装置は、可変電流源を用いて出力信号の電流量を連続的に可変させてドライブ能力を切り替える、ことを特徴とするものである。
【００３１】
これにより、送信装置の出力信号の電流量を変化させてドライブ能力を細かく制御することができる。
【００３２】
また、本発明の請求項１１にかかる小型メモリカードシステムは、請求項９に記載の小型メモリカードシステムにおいて、上記送信装置は、２個以上並列接続した定電流源を用いて出力信号の電流量を離散的に可変させてドライブ能力を切り替える、ことを特徴とするものである。
【００３３】
これにより、送信装置の出力信号の電流量を変化させてドライブ能力を細かく制御することができる。
【００３４】
また、本発明の請求項１２にかかる小型メモリカードシステムは、請求項９に記載の小型メモリカードシステムにおいて、上記送信装置は、出力信号のスルーレートを可変させてドライブ能力を切り替える、ことを特徴とするものである。
【００３５】
これにより、送信装置の出力信号のスルーレートを変化させてドライブ能力を細かく制御することができる。
【００３６】
また、本発明の請求項１３にかかる小型メモリカードシステムは、請求項９に記載の小型メモリカードシステムにおいて、上記送信装置は、出力信号の電源電圧を可変させてドライブ能力を切り替える、ことを特徴とするものである。
【００３７】
これにより、送信装置の出力信号の電源電圧を変化させてドライブ能力を細かく制御することができる。
【００３８】
また、本発明の請求項１４にかかる小型メモリカードシステムは、請求項９に記載の小型メモリカードシステムにおいて、上記ドライブ能力切替自動検出装置は、上記送信装置の出力信号のオーバーシュート電圧、及びアンダーシュート電圧を検知し、該検知した電圧値を基準値と比較した結果に基づいて、上記送信装置のドライブ能力を制御する、ことを特徴とするものである。
【００３９】
これにより、ホスト機器の出力信号のアンダーシュート、及びオーバーシュートを低減させることができる。
【００４０】
また、本発明の請求項１５にかかる小型メモリカードシステムは、請求項９に記載の小型メモリカードシステムにおいて、上記ドライブ能力切替自動検出装置は、上記送信装置の出力信号を高速フーリエ変換し、該変換した結果を基準値と比較した結果に基づいて、上記送信装置のドライブ能力を制御する、ことを特徴とするものである。
【００４１】
これにより、ホスト機器の出力信号のアンダーシュート、及びオーバーシュートを低減させることができる。
【００４２】
また、本発明の請求項１６にかかる小型メモリカードシステムは、請求項１、請求項２、または請求項９のいずれか１項に記載の小型メモリカードシステムにおいて、上記ホスト機器と上記小型メモリカード間の信号線と、グランド間に終端抵抗を接続する、ことを特徴とするものである。
【００４３】
これにより、ホスト機器の出力信号、及び小型メモリカードの出力信号のアンダーシュート、及びオーバーシュートを低減させることができる。
【００４４】
また、本発明の請求項１７にかかる小型メモリカードシステムは、請求項１、請求項２、または請求項９のいずれか１項に記載の小型メモリカードシステムにおいて、上記ホスト機器と上記小型メモリカード間の信号線に、ローパスフィルタを挿入する、ことを特徴とするものである。
【００４５】
これにより、ホスト機器の出力信号、及び小型メモリカードの出力信号のアンダーシュート、及びオーバーシュートを低減させることができる。
【００４６】
また、本発明の請求項１８にかかる小型メモリカードシステムは、ホスト機器と、該ホスト機器より送信されたコマンドに従って動作する小型メモリカードとからなる小型メモリカードシステムにおいて、上記ホスト機器と上記小型メモリカード間の信号線と、グランド間に終端抵抗を接続する、ことを特徴とするものである。
【００４７】
これにより、ホスト機器の出力信号、及び小型メモリカードの出力信号のアンダーシュート、及びオーバーシュートを低減させることができる。
【００４８】
また、本発明の請求項１９にかかる小型メモリカードシステムは、ホスト機器と、該ホスト機器より送信されたコマンドに従って動作する小型メモリカードとからなる小型メモリカードシステムにおいて、上記ホスト機器と上記小型メモリカード間の信号線に、ローパスフィルタを挿入する、ことを特徴とするものである。
【００４９】
これにより、ホスト機器の出力信号、及び小型メモリカードの出力信号のアンダーシュート、及びオーバーシュートを低減させることができる。
【発明の効果】
【００５０】
本発明の小型メモリカードシステムによれば、小型メモリカードの送信装置、あるいはホスト機器の送信装置の信号波形を監視し、上記送信装置のドライブ能力が最適になるように制御するようにしたので、高速モード非対応のホスト機器に高速モード対応小型メモリカードを挿入した場合や高速モード対応のホスト機器に高速モード非対応の小型メモリカードを挿入した場合に、不要輻射の発生を抑制し、消費電力を低減させることができる。
【発明を実施するための最良の形態】
【００５１】
以下、本発明の実施の形態について図面を参照しながら説明する。なお、ここで示す実施の形態はあくまでも一例であって、必ずしもこの実施の形態に限定されるものではない。
【００５２】
（実施の形態１）
以下に、本発明の実施の形態１にかかる小型メモリカードシステムについて説明する。
図１は、本実施の形態１による小型メモリカードシステムを示す図である。図において、図８と同一または相当する構成要素については同じ符号を用い、その説明を省略する。
【００５３】
２０６は、送信装置１０３の出力信号１０３Ｓの信号波形を監視し、ドライブ能力が最適になるよう送信装置１０３を制御するドライブ能力切替自動検出装置であり、図２にドライブ能力切替自動検出装置２０６の構成を示す。図２に示すように、ドライブ能力自動検出装置２０６は、レスポンス／データ信号入力端子８００を介して入力されたレスポンス／データ信号１０３Ｓを周波数スペクトルデータに変換する高速フーリエ変換装置８０２と、上記高速フーリエ変換装置８０２より出力される変換信号８０２Ｓを基準値と比較した結果に基づいて、第２のドライブ能力切替信号２０６Ｓをアクティブにし、送信装置１０３に出力する基準値比較装置８０３と、を備えたものである。
【００５４】
なお、ここでは、ドライブ能力切替自動検出装置２０６が、ドライブ能力切替自動検出装置２０６が高速フールエ変換装置８０２と基準値比較装置８０３とで構成される場合について説明するが、電圧検知装置を用いて実現することも可能である。この場合、電圧検知装置により、送信装置１０３より出力されるレスポンス／データ信号１０３Ｓのオーバーシュート電圧、及びアンダーシュート電圧を検知し、該検知した電圧値を基準値と比較した結果に基づいて、送信装置１０３のドライブ能力を制御するようにすれば良い。
【００５５】
次に、本発明のドライブ能力切替機能付送信装置１０３について図３を用いて説明する。
図３に示すドライブ能力切替機能付送信装置１０３は、第１のドライブ能力切替信号入力端子５２１を介して入力された第１のドライブ能力切替信号１１１Ｓ、または第２のドライブ能力切替信号入力端子５２２を介して入力された第２のドライブ能力切替信号２０６Ｓを用いて切替信号生成装置５２４にて切替信号を生成し、この切替信号によりスイッチ５１０〜５１５をオン／オフ制御して、第３の入力端子５２３を介して入力される読み出し信号１０４Ｓの電流量を調整するものである。
【００５６】
例えば、読み出し信号１０４ＳがＨＩＧＨの場合は、スイッチ５１６をオンにし、読み出し信号１０４Ｓの電流量が定電流源５００〜５０２により調整され、ドライブ能力が最適化されたレスポンス／データ信号１０３Ｓとして出力端子５２０を介して出力される。
【００５７】
また、読み出し信号１０４ＳがＬＯＷの場合は、スイッチ５１７をオンにし、読み出し信号１０４Ｓの電流量が定電流源５０３〜５０５により調整され、ドライブ能力が最適化されたレスポンス／データ信号１０３Ｓとして出力端子５２０を介して出力される。
【００５８】
なお、上記切替信号生成装置５２４では、受信装置１０１より出力される第１のドライブ能力切替信号１１１Ｓ、あるいはドライブ能力切替自動検出装置２０６より出力される第２のドライブ能力切替信号２０６Ｓのいずれかを用いて切替信号を生成する場合について説明したが、上記第１のドライブ能力切替信号と上記第２のドライブ能力切替信号との論理和を用いて切替信号を生成するようにしても良い。
【００５９】
次に、本実施の形態１による小型メモリカードシステムについて、その一動作例を以下に説明する。なお、ドライブ能力切替自動検出装置２０６を除き、各部の動作は、図８に示すものと大きな差はない為、ドライブ能力切替自動検出装置２０６の動作のみを示す。
【００６０】
ドライブ能力切替自動検出装置２０６では、送信装置１０３より出力されるレスポンス／データ信号１０３Ｓの信号波形を監視し、送信装置１０３のドライブ能力が最適になるように、第２のドライブ能力切替信号２０６Ｓを送信装置１０３に出力する。
【００６１】
上記送信装置１０３では、上記第２のドライブ能力切替信号２０６Ｓの入力により、ドライブ能力を切り替えて、レスポンス／データ信号１０３Ｓをホスト機器１００に送信する。
【００６２】
なお、送信装置１０３のドライブ能力の切替方法として、図３に示すように、２個以上並列に接続した定電流源を用いて送信装置１０３の出力信号１０３Ｓの電流量を変化させ、ドライブ能力を段階的に切り替える場合について説明したが、可変電流源の電流量をリニアに変化させ、ドライブ能力を連続的に可変するようにしても良い。可変電流源としては、非飽和領域で動作するトランジスタ、またはカレントミラー装置、または可変抵抗装置などにより実現することができる。
【００６３】
また、送信装置１０３のドライブ能力の切替方法として、上述のようにレスポンス／データ信号１０３Ｓの電流量を変化させるのではなく、レスポンス／データ信号１０３Ｓのスルーレートを可変するようにしたり、送信装置１０３の出力段の電源電圧を制御してドライブ能力を切り替えるようにしても良い。電源電圧の供給方法としては、外部から供給するか、もしくは内部（レギュレータ、DC−DCコンバータ等）で生成したものを用いる。
【００６４】
このような実施の形態１に示す小型メモリカードシステムでは、小型メモリカード１０２にドライブ能力切替自動検出装置２０６を備え、該ドライブ能力切替自動検出装置２０６により送信装置１０３の出力信号の信号波形を監視し、ドライブ能力が最適になるように送信装置１０３を制御するようにしたので、高速モード非対応のホスト機器に高速モード小型メモリカードを挿入した場合や高速モード対応のホスト機器に高速モード非対応の小型メモリカードを挿入した場合に、不要輻射の発生を防ぐことができる。
【００６５】
（実施の形態２）
以下に、本発明の実施の形態２にかかる小型メモリカードシステムについて説明する。
上記実施の形態１と異なる点は、上記実施の形態１では、ドライブ能力切替自動検出装置２０６を小型メモリカード１０２側に設けたのに対し、本実施の形態２では、ドライブ能力切替自動検出装置２０６をホスト機器１００側に設けた点である。
【００６６】
図４は、本実施の形態２による小型メモリカードシステムを示す図である。なお、図１と同一または相当する構成要素については同じ符号を用い、その説明を省略する。
図４において、３０１は、受信装置であり、小型メモリカード１０２から送信されてくるレスポンス／データ信号１０３Ｓを受信するものである。３０３は、ドライブ能力切替機能付送信装置であり、ドライブ能力切替自動検出装置２０６から出力される第２のドライブ能力切替信号２０６Ｓに基づいてドライブ能力を切り替え、小型メモリカード１０２に対し、コマンド／データ信号１０３Ｓを送信するものである。なお、ホスト機器１００の構成は、本発明を説明する上で必要な機能ブロックのみを図示している。
【００６７】
次に、本実施の形態２による小型メモリカードシステムについて、その一動作例を以下に説明する。なお、ドライブ能力切替自動検出装置２０６を除き、各部の動作は、従来のホスト機器と大きな差はない為、ドライブ能力切替自動検出装置２０６の動作のみを示す。
【００６８】
ホスト機器１００側では、ドライブ能力切替自動検出装置２０６により、送信装置３０３より出力されるコマンド／データ信号の信号波形を逐次監視し、第２のドライブ能力切替信号２０６Ｓを用いて送信装置３０３のドライブ能力が最適になるように制御する。このようにして、最適なドライブ能力で、コマンド／データ信号１００Ｓを小型メモリカード１０２に送信する。そして、小型メモリカード１０２より返信されたレスポンス／データ信号を受信装置３０１にて受信する。
【００６９】
このような実施の形態２では、ホスト機器１００にドライブ能力切替自動検出装置２０６を備え、該ドライブ能力切替自動検出装置２０６により、送信装置３０３の出力信号の信号波形を監視し、ドライブ能力が最適になるように送信装置３０３を制御するようにしたので、どのようなタイプの小型メモリカードにも対応することができ、不要輻射の発生を防ぐことができる。
【００７０】
（実施の形態３）
以下に、本発明の実施の形態３にかかる小型メモリカードシステムについて説明する。
図５は、本実施の形態３による小型メモリカードシステムを示す図である。なお、図において、図１と同一または相当する構成要素については同じ符号を用い、その説明を省略する。
【００７１】
図５において、４０７は、ドライブ能力切替自動検出信号一時記憶装置であり、第２のドライブ能力切替信号２０６Ｓを一時的に記憶し、所定の時間の経過後、不揮発性メモリ１０５に書き込むものである。
【００７２】
次に、本実施の形態３による小型メモリカードシステムについて、その一動作例を以下に説明する。なお、ドライブ能力切替自動検出信号一時記憶装置４０７を除き、各部の動作は、図１に示すものと大きな差はないため、ドライブ能力切替自動検出信号一時記憶装置４０７の動作のみを示す。
【００７３】
ドライブ能力切替自動検出信号一時記憶装置４０７では、ドライブ能力切替自動検出装置２０６により生成された第２のドライブ能力切替信号２０６Ｓを一時的に記憶し、ある期間を経て不揮発性メモリ制御装置１０４を経由し、不揮発性メモリ１０５に格納する。
【００７４】
不揮発性メモリ１０５に格納された第２のドライブ能力切替信号２０６Ｓは、小型メモリカード１０２立上げ時の初期化の際に、不揮発性メモリ１０５より読み出され、不揮発性メモリ制御装置１０４を経由し、ドライブ能力切替自動検出信号一時記憶装置４０７に出力される。そして、読み出された第２のドライブ能力切替信号２０６Ｓは、ドライブ能力切替初期信号４１７Ｓとして送信装置１０３に出力される。
【００７５】
送信装置１０３では、ドライブ能力切替初期信号４１７Ｓに基づいてドライブ能力を決定する。このとき、既にドライブ能力切替機能付送信装置１０３のドライブ能力が決定されているので、ドライブ能力切替自動検出装置２０６の動作を停止するようにすれば、消費電力を削減することができる。
【００７６】
このような実施の形態３では、小型メモリカード１０３にドライブ能力切替自動検出装置２０６とドライブ能力切替自動検出信号一時記憶装置４０７を備え、ドライブ能力切替自動検出装置２０６で生成された第２のドライブ能力切替信号２０６Ｓを一時的にドライブ能力切替自動検出信号一時記憶装置４０７に記憶し、ある程度の時間が経過すると、不揮発性メモリ１０５に格納するようにしたので、小型メモリカード１０３を再度ホスト機器１００に挿入して立ち上げたとき、不揮発性メモリ１０５に記憶してある前回の第２のドライブ能力切替信号２０６Ｓを用いて初期化設定を行うことができ、その結果、小型メモリカード１０３を立ち上げる毎に最適なドライブ能力で小型メモリカード１０２を動作させることができる。
【００７７】
なお、上記各実施の形態１〜３において、小型メモリカード１０２あるいはホスト機器１００内にドライブ能力切替自動検出装置２０６を設けることにより、送信装置１０３のドライブ能力を自動的に切り替える場合について説明したが、小型メモリカード１０２とホスト機器１００との間に、終端抵抗やローパスフィルタを設けても良い。
【００７８】
図６に、小型メモリカード１０２とホスト機器１００との間に終端抵抗６００，６０１を設けた場合の小型メモリカードシステムの構成図を示す。この場合、第１の終端抵抗６００により、コマンド／データ信号１００Ｓの不要輻射の元となる信号波形のオーバーシュートやアンダーシュートを低減させることができ、また、第２の終端抵抗６０１により、レスポンス／データ信号１０３Ｓの不要輻射の元となる信号波形のオーバーシュートやアンダーシュートを低減させることができる。なお、第１の終端抵抗６００をホスト機器１００に内蔵しても良いし、第２の終端抵抗６０１を小型メモリカード１０２に内蔵しても良い。また、第１の終端抵抗６００および第２の終端抵抗６０１を可変抵抗とし、ドライブ能力切替自動検出装置２０６で生成した第２のドライブ能力切替信号２０６Ｓに応じて、抵抗値を可変しても良い。
【００７９】
また、図７に、小型メモリカード１０２とホスト機器１００との間、ローパスフィルタ７００，７０１を設けた場合の小型メモリカードシステムの構成図を示す。この場合、第１のローパスフィルタ７００により、コマンド／データ信号１００Ｓの不要輻射の元となる信号波形のオーバーシュートやアンダーシュートを低減させることができ、また、第２のローパスフィルタ７０１により、レスポンス／データ信号１０３Ｓの不要輻射の元となる信号波形のオーバーシュートやアンダーシュートを低減させることができる。なお、第１のローパスフィルタ７００をホスト機器１００に内蔵しても良いし、第２のローパスフィルタ７０１を小型メモリカード１０２に内蔵しても良い。また、第１のローパスフィルタ７００および第２のローパスフィルタ７０１のカットオフ周波数を可変できるようにしておき、ドライブ能力切替自動検出装置２０６で生成した第２のドライブ能力切替信号２０６Ｓに応じて、カットオフ周波数を可変しても良い。
【００８０】
また、上記各実施の形態１〜３で示した小型メモリカードシステムと、図６や図７で示した小型メモリカードシステムとを組み合わせれば、すなわち、上記各実施の形態１〜３で示した小型メモリカードシステムにおいて、小型メモリカード１０２とホスト機器１００との間に終端抵抗、あるいはローパスフィルタを設けるようにすれば、より確実に不要輻射の発生を防ぐことができる。
【産業上の利用可能性】
【００８１】
本発明にかかる小型メモリカードシステムは、小型メモリカード、またはホスト機器の出力信号の信号波形からドライブ能力を自動的に最適化することができる小型メモリカードシステムを実現することができ、ＳＤメモリカード、マルチメディアカード、メモリスティック、コンパクトフラッシュ（登録商標）、スマートメディアといった小型メモリカードやｍｉｎｉＳＤメモリカードといった超小型メモリカード等として有用である。またＶＣＯ、ＩＣカード等の用途にも応用できる。
【図面の簡単な説明】
【００８２】
【図１】本発明の実施の形態１による小型メモリカードシステムの構成図である。
【図２】本発明のドライブ能力切替自動検出装置の構成図である。
【図３】本発明のドライブ能力切替機能付送信装置の構成を示す図である。
【図４】本発明の実施の形態２による小型メモリカードシステムの構成図である。
【図５】本発明の実施の形態３による小型メモリカードシステムの構成図である。
【図６】小型メモリカードとホスト機器との間に終端抵抗を設けた場合の本発明の小型メモリカードシステムの構成を示す図である。
【図７】小型メモリカードとホスト機器との間にローパスフィルタを設けた場合の本発明の小型メモリカードシステムの構成を示す図である。
【図８】従来の小型メモリカードシステムの構成図である。
【符号の説明】
【００８３】
１００  ホスト機器
１０１  受信装置
１０２  小型メモリカード
１０３  ドライブ能力切替機能付送信装置
１０４  不揮発性メモリ制御装置
１０５  不揮発性メモリ
２０６  ドライブ能力切替自動検出装置
３０１  受信装置
３０３  ドライブ能力切替機能付送信装置
４０７  ドライブ能力切替自動検出信号一時記憶装置
５００〜５０５  定電流源
５１０〜５１７  スイッチ
５２０  出力端子
５２１  第１の入力端子
５２２  第２の入力端子
５２３  第３の入力端子
５２４  切替信号生成回路
６００、６０１  終端抵抗
７００、７０１  ＬＰＦ
８００  レスポンス／データ信号入力端子
８０１  第２のドライブ能力切替信号出力端子
８０２  高速フーリエ変換装置
８０３  基準値比較装置
【図１】
2005182370.tif 000003
【図２】
2005182370.tif 000004
【図３】
2005182370.tif 000005
【図４】
2005182370.tif 000006
【図５】
2005182370.tif 000007
【図６】
2005182370.tif 000008
【図７】
2005182370.tif 000009
【図８】
2005182370.tif 000010